(57)【要約】      （修正有）【課題】片手で挿し込みプラグを挿脱でき、プラグとコードの連結箇所に断裂や接触不良を発生させないコンセント構造を提供する。【解決手段】内部に第一当接機構３０及び第二当接機構４０を有するコンセント本体２０と、第一当接機構に結合される第一導電片と、第二当接機構に結合される第二導電片と、コンセント本体に回転可能に装設される差し込みカバー５０と、第一及び第二挟持片を含む導電キットと、を備える。導電キットは差し込みカバーに装設されると共にコンセント本体内部に位置し、第一挟持片は第一当接機構に対応し、第二挟持片は第二当接機構に対応する。差込プラグ１０の挿入ピンが第一及び第二挟持片に挿入され、差込プラグ及び差し込みカバーが回転されると、第一及び第二挟持片が第一及び第二当接機構に接近し、第一及び第二挟持片が近接することで挿入ピンが挟持されて閉回路が形成される。【選択図】図１
0003222189.tif 000002
【実用新案登録請求の範囲】
【請求項１】
差込プラグの各挿入ピンに電気的に接続されるコンセント構造であって、
内部に第一当接機構及び第二当接機構を有するコンセント本体と、
前記第一当接機構に結合される第一導電片と、
前記第二当接機構に結合される第二導電片と、
前記コンセント本体に回転可能に装設され、複数の差し込み口を有し、前記第一当接機構及び前記第二当接機構に対応させる差し込みカバーと、
第一挟持片及び第二挟持片を備え、前記第一挟持片及び前記第二挟持片は前記差し込みカバーに装設されると共に前記コンセント本体内部に位置され、前記第一挟持片は前記第一当接機構に対応させ、前記第二挟持片は前記第二当接機構に対応させる導電キットと、を備え、
２つの前記挿入ピンは前記差し込みカバーの前記差し込み口に挿入されると共に前記第一挟持片及び前記第二挟持片に挟入され、前記差込プラグ及び前記差し込みカバーが回転されると、前記第一挟持片及び前記第二挟持片が回転することで前記第一当接機構及び前記第二当接機構に接近し、前記第一挟持片及び前記第二挟持片が近接することで前記挿入ピンが挟持されて閉回路が形成され、前記差込プラグ及び前記差し込みカバーが反回転されると、前記第一挟持片及び前記第二挟持片が回転することで前記第一当接機構及び前記第二当接機構から離れ、前記第一挟持片及び前記第二挟持片が開放されて前記挿入ピンが分離されることで開回路が形成され、且つ前記挿入ピンが前記第一挟持片及び前記第二挟持片に対応させてルーズ状態が形成されることを特徴とする、コンセント構造。
【請求項２】
前記第一当接機構は第一電気接触当接柱及び第一挟持当接柱を備え、前記第一電気接触当接柱は前記第一挟持置柱と互いに離され、前記第一導電片は貫通孔、及び前記貫通孔に隣接する導電部を有し、前記第一電気接触当接柱は前記第一導電片の前記貫通孔を貫通させ、且つ前記導電部は前記第一電気接触当接柱の表面に対応させ、前記第一挟持片は前記第一電気接触当接柱と前記第一挟持当接柱との間に位置され、前記第一挟持片は回転することで前記第一電気接触当接柱及び前記第一挟持当接柱に接近し、これにより前記第一挟持片が前記第一導電片の前記導電部を挟持するように接触させることを特徴とする、請求項１に記載のコンセント構造。
【請求項３】
前記第二当接機構は第二電気接触当接柱及び第二挟持当接柱を備え、前記第二電気接触当接柱は前記第二挟持置柱と互いに離され、前記第二導電片は貫通孔、及び前記貫通孔に隣接する導電部を有し、前記第二電気接触当接柱は前記第二導電片の前記貫通孔を貫通させ、且つ前記導電部は前記第二電気接触当接柱の表面に対応させ、前記第二挟持片は前記第二電接触置柱と前記第二挟持当接柱との間に位置され、前記第二挟持片は回転することで前記第二電気接触当接柱及び前記第一挟持当接柱に接近し、これにより前記第二挟持片が前記第二導電片の前記導電部を挟持するように接触させることを特徴とする請求項１に記載のコンセント構造。
【請求項４】
前記差し込みカバーは２本の連接柱を有し、前記第一挟持片は第一収容部、及び前記第一収容部から延伸されて互いに対向し合う２つの第一シート部を有し、前記第二挟持片は第二収容部、及び前記第二収容部から延伸されて互いに対向し合う２つの第二シート部を有し、前記差し込みカバーの２本の前記連接柱は前記第一収容部及び前記第二収容部にそれぞれ嵌入され、且つ２本の前記連接柱は前記第一挟持片及び前記第二挟持片にそれぞれ固定結合されることを特徴とする請求項１に記載のコンセント構造。
【請求項５】
前記差し込みカバーは２つの差し込みシートを有し、前記第一挟持片は第一収容部、及び前記第一収容部から延伸されて互いに対向し合う２つの第一シート部を有し、前記第二挟持片は第二収容部、及び前記第二収容部から延伸されて互いに対向し合う２つの第二シート部を有し、前記差し込みカバーは前記第一挟持片及び前記第二挟持片に結合され、且つ１つの前記差し込みシートが２つの前記第一シート部の間に装入され、もう１つの前記差し込みシートが２つの前記第二シート部の間に装入されることを特徴とする請求項１に記載のコンセント構造。
【請求項６】
前記コンセント本体は孔部を有し、前記孔部の壁面には第一位置決め穴及び第二位置決め穴を有し、前記差し込みカバーの周辺には弾性位置決め組立キットが配置され、前記差し込みカバーは前記孔部に装設され、前記差し込みカバーが回転することで前記位置決め組立キットが連動されて前記第一位置決め穴及び前記第二位置決め穴にそれぞれ結合されることを特徴とする請求項１に記載のコンセント構造。
【請求項７】
前記位置決め組立キットはバネの一端にボールが配置され、前記ボールは前記孔部の壁面に向けられ、前記差し込みカバーが回転することで前記位置決め組立キットの前記ボールが連動されて前記第一位置決め穴及び前記第二位置決め穴にそれぞれ結合されることを特徴とする請求項６に記載のコンセント構造。
【請求項８】
前記第一位置決め穴と前記第二位置決め穴との間の壁面には曲面部を有し、前記曲面部は前記差し込みカバーの周辺に向けて突出し、前記差し込みカバーが回転することで前記位置決め組立キットの前記ボールが連動されて前記曲面部に沿って移動し、前記第一位置決め穴及び前記第二位置決め穴にそれぞれ結合されることを特徴とする請求項７に記載のコンセント構造。
【請求項９】
接地用金属片、及び内部に接地用当接柱を有する前記コンセント本体を更に備え、前記接地用金属片は貫通孔、及び前記貫通孔に隣接する接地導電部を有し、前記接地用当接柱は前記接地用金属片の前記貫通孔を貫通させ、前記接地用金属片は前記コンセント本体内部に固定され、前記接地導電部は前記接地用当接柱の表面に対応させることを特徴とする請求項１に記載のコンセント構造。
【考案の詳細な説明】
【技術分野】
【０００１】
本考案は、コンセントの分野に関し、より詳しくは、使用者が差し込みプラグを片手で操作して挿脱可能なコンセント構造に関する。
【背景技術】
【０００２】
一般的なコンセントは内部に導電金属板及び挟持片が配置される。使用者が差し込みプラグを前記コンセントの差し込み孔に挿入すると、前記コンセント内部の挟持片が前記挿入ピンを挟持させて通電状態を形成させる。
【考案の概要】
【考案が解決しようとする課題】
【０００３】
しかしながら、前述した従来の技術では、前記挟持片が前記コンセント内部に固定されると相当な弾性挟持力を有するため、使用者が差し込みプラグをコンセントから抜く場合、大きな力が必要であった。
【０００４】
さらに、一般的な延長コードのコンセントは可動であり、使用者が差し込みプラグを延長コードのコンセントから抜く場合、片手で前記コンセントを抑え、もう一方の手で前記差し込みプラグを抜かなければならず、不便であった。なお、延長コードのコンセントを脚で踏み、差し込みプラグのコードを手で引き抜く使用者もいるが、これでは差し込みプラグとコードとの連結箇所が容易に断裂してしまい、或いは差し込みプラグとコードとが接触不良を引き起こした。
【０００５】
そこで、本考案者は上記の欠点が改善可能と考え、鋭意検討を重ねた結果、合理的設計で上記の課題を効果的に改善する本考案の提案に到った。
【０００６】
本考案は、以上の従来技術の課題を解決する為になされたものである。即ち、本考案は、コンセント構造を提供することを主目的とする。
【課題を解決するための手段】
【０００７】
上記課題を解決するために、本考案のある態様のコンセント構造は、内部に第一当接機構及び第二当接機構を有するコンセント本体と、第一当接機構に結合される第一導電片と、第二当接機構に結合される第二導電片と、コンセント本体に回転可能に装設され、複数の差し込み口を有し、第一当接機構及び第二当接機構に対応させる差し込みカバーと、第一挟持片及び第二挟持片を備え、第一挟持片及び第二挟持片は差し込みカバーに装設されると共にコンセント本体内部に位置され、第一挟持片は第一当接機構に対応し、第二挟持片は第二当接機構に対応する導電キットと、を備える。
【０００８】
２つの挿入ピンは差し込みカバーの差し込み口に挿入されると共に第一挟持片及び第二挟持片に挟入される。差し込みプラグ及び差し込みカバーが回転すると、第一挟持片及び第二挟持片が回転することで第一当接機構及び第二当接機構に接近し、第一挟持片及び第二挟持片が近接することで挿入ピンが挟持されて閉回路が形成される。差し込みプラグ及び差し込みカバーが反回転すると、第一挟持片及び第二挟持片が回転することで第一当接機構及び第二当接機構から離れ、第一挟持片及び第二挟持片が開放されて挿入ピンが分離されることで開回路が形成され、挿入ピンが第一挟持片及び第二挟持片に対応してルーズ状態が形成される。
【考案の効果】
【０００９】
本考案によれば、未導電の状態で差し込みプラグとコンセントとの間をルーズな結合状態にし、導電時にきつく挟持される状態にする。これにより、使用者が片手で前記差し込みプラグを挿脱可能になり、差し込みプラグとコードとの連結箇所に断裂や接触不良が生じる可能性を低下させる。
【図面の簡単な説明】
【００１０】
【図１】本考案に係るコンセント構造を説明する分解図である。
【図２】本考案のベース、第一導電片、第二導電片及び接地用金属片を説明する分解図である。
【図３】本考案のベース、第一導電片、第二導電片及び接地用金属片を説明する組み合わせ図である。
【図４】本考案のベース、第一挟持片及び第二挟持片を説明する分解図である。
【図５】本考案のベース、第一挟持片及び第二挟持片を説明する組み合わせ図である。
【図６】本考案の第一挟持片及び第二挟持片が未導電状態で第一当接機構及び第二当接機構に対応する構成の概略図である。
【図７】本考案の第一挟持片及び第二挟持片が未導電状態で第一当接機構及び第二当接機構に対応し、挿入ピンが第一挟持片、及び第二挟持片に挿入する構成の概略図である。
【図８】本考案の第一挟持片、第二挟持片及び挿入ピンが導電状態となる構成のの概略図である。
【図９】本考案の弾性位置決め組立キットの位置決め状態及び接地用挿入ピンが接地用導電部に接触される構成の概略図である。
【考案を実施するための形態】
【００１１】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【００１２】
本考案のコンセントは、差し込みプラグ１０を結合させるためのコンセント本体２０を備える（図１参照）。差し込みプラグ１０は複数の挿入ピン１２、１４、１６を有する。１つ以上の回転可能な差し込みカバー５０がコンセント本体２０に装設される。差し込みカバー５０は複数の差し込み口５２を有し、各挿入ピン１２、１４、１６は各差し込み口５２に対応するように挿入される。挿入ピン１６は接地機能を有する接地用挿入ピンでもよい。
【００１３】
コンセント本体２０はベース２２及びカバー２４を備える。カバー２４はベース２２に結合される。コンセント本体２０のカバー２４は差し込みカバー５０を装設させるための孔部２６を有する。前記ベース２２の底部と周辺の壁部との間にスペース２８が形成される。少なくとも１つの第一当接機構３０及び少なくとも１つの第二当接機構４０が前記ベース２２の底部に形成されると共に前記スペース２８内に対応するように位置される。更に詳しくは、第一当接機構３０は第二当接機構４０と互いに離され、且つ第一当接機構３０は第二当接機構４０に対応して対になるように形成される。第一当接機構３０及び第二当接機構４０の数量は実際の需要に応じて定められる。差し込みカバー５０がコンセント本体２０に装設された後、差し込みカバー５０が第一当接機構３０及び第二当接機構４０に対応させる。
【００１４】
図２に示されるように、第一当接機構３０は第一電気接触当接柱３２及び第一挟持当接柱３４を備える。第一電気接触当接柱３２は第一挟持当接柱３４と互いに離される。また、第二当接機構４０は第二電気接触当接柱４２及び第二挟持当接柱４４を備える。第二電気接触当接柱４２は第二挟持当接柱４４と互いに離される。
【００１５】
第一導電片６０は第一当接機構３０に結合される。第二導電片７０は第二当接機構４０に結合される。更に詳しくは、第一導電片６０は貫通孔６２、及び貫通孔６２に隣接する導電部６４を有する。第二導電片７０は貫通孔７２、及び貫通孔７２に隣接する導電部７４を有する。上述の異なる貫通孔６２、７２の数量は少なくとも１つはあり、同様に異なる導電部６４、７４の数量も少なくとも１つはある。第一導電片６０及び第二導電片７０は外部電力に電気的に接続される。
【００１６】
なお、図３に示されるように、第一導電片６０はコンセント本体２０内部に固定されるように装設され、第一電気接触当接柱３２が第一導電片６０の貫通孔６２を貫通させ、且つ導電部６４が第一電気接触当接柱３２の表面に対応させる。第二導電片７０はコンセント本体２０内部に固定されるように装設され、第二電気接触当接柱４２が第二導電片７０の貫通孔７２を貫通し、且つ導電部７４が第二電気接触当接柱４２の表面に対応させる。
【００１７】
本実施形態の差し込みカバー５０は２本の連接柱５４及び２つの差し込みシート５６を更に備える（図４及び図５参照）。連接柱５４及び前記差し込みシート５６は差し込みカバー５０の同側に位置される。本実施形態では、差し込みカバー５０の数量に応じて１つ以上の導電キット８０を有する。各導電キット８０はすべて第一挟持片８２及び第二挟持片８４を含む。
【００１８】
さらに、第一挟持片８２は第一収容部８２０、及び第一収容部８２０から延伸されると共に互いに対向し合う２つの第一シート部８２２を有する。第一収容部８２０は筒状を呈すると共に一側に開口部が形成され、２つの第一シート部８２２は開口部の一側からそれぞれ延伸されて対向し、各第一シート部８２２は第一収容部８２０に対する弾性を有する。
【００１９】
第二挟持片８４は第二収容部８４０、及び第二収容部８４０から延伸されると共に互いに対向し合う２つの第二シート部８４２を有する。第二収容部８４０は筒状を呈すると共に一側に開口部が形成され、２つの第二シート部８４２は開口部の一側からそれぞれ延伸されて対向し合い、且つ各第二シート部８４２は第二収容部８４０に対する弾性を有する。
【００２０】
差し込みカバー５０の２本の連接柱５４は第一収容部８２０及び第二収容部８４０にそれぞれ嵌入され、且つ２本の連接柱５４は第一挟持片８２及び第二挟持片８４にそれぞれ固定結合される。差し込みシート５６は対向し合うと共に開放される２つの第一シート部８２２の間及び２つの第二シート部８４２の間にそれぞれ位置される。
【００２１】
図６に示されるように、差し込みカバー５０及び導電キット８０の組み合わせがコンセント本体２０に装設され、導電キット８０の第一挟持片８２及び第二挟持片８４がコンセント本体２０内部に位置され、且つ第一挟持片８２が第一当接機構３０に対応させ、第二挟持片８４が第二当接機構４０に対応させる。より具体的には、第一挟持片８２は第一電気接触当接柱３２と第一挟持当接柱３４との間に位置し、第二挟持片８４は第二電気接触当接柱４２と第二挟持当接柱４４との間に位置する。
【００２２】
図７に示されるように、差し込みプラグ１０が差し込みカバー５０に挿設され、挿入ピン１２、１４が第一挟持片８２及び第二挟持片８４にそれぞれ挿入される。ちなみに、差し込みプラグ１０が未通電状態である場合、第一挟持片８２は第一電気接触当接柱３２及び第一挟持当接柱３４に対応させて開放状態を形成させ、第二挟持片８４は第二電気接触当接柱４２及び第二挟持当接柱４４に対応して開放状態を形成させる。よって、挿入ピン１２、１４が第一挟持片８２及び第二挟持片８４に容易に挿入可能になる。
【００２３】
図８に示されるように、差し込みプラグ（図示省略）及び差し込みカバー５０の組み合わせが回転されると、第一挟持片８２及び第二挟持片８４が回転する。ちなみに、一方の第一シート部８２２が第一電気接触当接柱３２に接近すると共に導電部６４に接触し、他方の第一シート部８２２が第一挟持当接柱３４に接近することにより、２つの第一シート部８２２が近接することで挿入ピン１２が挟持される。同様に、一方の第二シート部８４２が第二電気接触当接柱４２に接近すると共に導電部７４に接触し、他方の第二シート部８４２が第二挟持当接柱４４に接近することにより、２つの第二シート部８４２が近接することで挿入ピン１４が挟持される。即ち、本実施形態は適切な回転手段により差し込みプラグ及びコンセントが通電状態となる。また、差し込みシート５６が第一挟持片８２及び第二挟持片８４に装入される。よって、差し込みカバー５０の回転過程において、各差し込みシート５６が協力して第一挟持片８２及び第二挟持片８４を押動させ、第一挟持片８２及び第二挟持片８４が変形により近接状態となる確率を低下させる。
【００２４】
上述のように、差し込みプラグ及び差し込みカバー５０の組み合わせが回転されることにより第一挟持片８２及び第二挟持片８４が回転し、第一挟持片８２が第一電気接触当接柱３２及び第一挟持当接柱３４から離されて開放状態が形成され、第二挟持片８４が第二電気接触当接柱４２及び第二挟持当接柱４４から離されて開放状態が形成される。これにより、第一挟持片８２及び第二挟持片８４が開放されて挿入ピン１２、１４が分離されて開回路が形成され、挿入ピン１２、１４が第一挟持片８２及び第二挟持片８４に対応してルーズ状態が形成される。使用者は片手で差し込みプラグ１０をコンセントから引き抜けるようになり、省力で操作も便利になる効果を達成できる。また、差し込みプラグ１０及びコンセントがルーズ状態になるため、使用者がコードを引っ張っることで簡単に差し込みプラグ１０を引き抜けるようになり、コードと差し込みプラグとの間に断線や接触不良が生じる確率が低下する。
【００２５】
図９に示されるように、本実施形態に係るコンセント本体２０の孔部２６の壁面には第一位置決め穴９０及び第二位置決め穴９２を有し、且つ第一位置決め穴９０と第二位置決め穴９２との間の壁面には曲面部９４を有し、曲面部９４は差し込みカバー５０の周辺に向けて突出される。差し込みカバー５０の周辺には弾性位置決め組立キット９６が配置され、位置決め組立キット９６はバネ９７の一端にボール９８が配置され、且つボール９８は孔部２６の壁面に向けられる。差し込みカバー５０が回転することで位置決め組立キット９６が連動され、ボール９８が曲面部９４に沿って移動し、第一位置決め穴９０及び第二位置決め穴９２にそれぞれ結合される。
【００２６】
なお、図２に戻って、本実施形態では接地用金属片１００、及び内部に接地用当接柱１０６を有する前記コンセント本体２０を備える。接地用金属片１００は貫通孔１０２、及び貫通孔１０２に隣接する接地導電部１０４を有する。接地用当接柱１０６は接地用金属片１００の貫通孔１０２を貫通し、接地用金属片１００はコンセント本体２０内部に固定され、接地導電部１０４は前記接地用当接柱１０６の表面に対応させる。図９に戻って、差し込みプラグ及び差し込みカバー５０の組み合わせが回転されると通電状態が形成され、差し込みプラグの挿入ピン１６が接地導電部１０４に接触させる。
【００２７】
本実施形態に係る構造により、第一挟持片８２及び第二夾８４が開放状態を呈し、差し込みプラグをコンセントに容易に挿脱可能になる。これにより、使用者は片手で簡単に操作可能になり、且つコードを引っ張ることでコードが断裂したり接触不良を生じる確率も低下する。また、従来の延長コードは何度も挿脱されると内部の金属ばね板が疲労変形し、差し込みプラグとコンセントとの接触が緩んでしまう。本考案に係る構造では、差し込みプラグを前記コンセントに挿脱する際に、第一挟持片８２及び第二挟持片８４が共に開放状態となるため、第一挟持片８２及び第二挟持片８４が好ましい弾性状態を保持させ、差し込みプラグに対して良好で安定的な挟持効果が提供される。また、本実施形態では、弾性位置決め組立キット９６が第一位置決め穴９０に対応させ、第二位置決め穴９２及び曲面部９４が前記差し込みカバー５０をスムーズに回転させると共に定位させる。また、本実施形態に係る構造形態は、図示される延長コードに応用可能である以外、壁面や地面に設置されるコンセントにも応用可能である。
【００２８】
上述の実施形態は本考案の技術思想及び特徴を説明するためのものにすぎず、当該技術分野を熟知する者に本考案の内容を理解させると共にこれをもって実施させることを目的とし、本考案の実用新案登録請求の範囲を限定するものではない。従って、本考案の精神を逸脱せずに行う各種の同様の効果をもつ改良又は変更は、実用新案登録請求の範囲に含まれるものとする。
【符号の説明】
【００２９】
１０  …  差込プラグ
１２、１４、１６  …  挿入ピン
２０  …  コンセント本体
２２  …  ベース
２４  …  カバー
２６  …  孔部
２８  …  スペース
３０  …  第一当接機構
３２  …  第一電気接触当接柱
３４  …  第一挟持当接柱
４０  …  第二当接機構
４２  …  第二電気接触当接柱
４４  …  第二挟持当接柱
５０  …  差し込みカバー
５２  …  差し込み口
５４  連接柱
５６  …  差し込みシート
６０  …  第一導電片
６２、７２  …  貫通孔
６４、７４  …  導電部
７０  …  第二導電片
８０  …  導電キット
８２  …  第一挟持片
８２０  …  第一収容部
８２２  …  第一シート部
８４  …  第二挟持片
８４０  …  第二収容部
８４２  …  第二シート部
９０  …  第一位置決め穴
９２  …  第二位置決め穴
９４  …  曲面部
９６  …  位置決め組立キット
９７  …  バネ
９８  …  ボール
１００  …  接地用金属片
１０２  …  貫通孔
１０４  …  接地用導電部
１０６  …  接地用当接柱
【図１】
0003222189.tif 000003
【図２】
0003222189.tif 000004
【図３】
0003222189.tif 000005
【図４】
0003222189.tif 000006
【図５】
0003222189.tif 000007
【図６】
0003222189.tif 000008
【図７】
0003222189.tif 000009
【図８】
0003222189.tif 000010
【図９】
0003222189.tif 000011
【手続補正書】
【提出日】令和1年5月17日(2019.5.17)
【手続補正１】
【補正対象書類名】実用新案登録請求の範囲
【補正対象項目名】全文
【補正方法】変更
【補正の内容】
【実用新案登録請求の範囲】
【請求項１】
差込プラグの各挿入ピンに電気的に接続されるコンセント構造であって、
内部に第一当接機構及び第二当接機構を有するコンセント本体と、
前記第一当接機構に結合される第一導電片と、
前記第二当接機構に結合される第二導電片と、
前記コンセント本体に回転可能に装設され、複数の差し込み口を有し、前記第一当接機構及び前記第二当接機構に対応させる差し込みカバーと、
第一挟持片及び第二挟持片を備え、前記第一挟持片及び前記第二挟持片は前記差し込みカバーに装設されると共に前記コンセント本体内部に位置され、前記第一挟持片は前記第一当接機構に対応させ、前記第二挟持片は前記第二当接機構に対応させる導電キットと、を備え、
２つの前記挿入ピンは前記差し込みカバーの前記差し込み口に挿入されると共に前記第一挟持片及び前記第二挟持片に挟入され、前記差込プラグ及び前記差し込みカバーが回転されると、前記第一挟持片及び前記第二挟持片が回転することで前記第一当接機構及び前記第二当接機構に接近し、前記第一挟持片及び前記第二挟持片が近接することで前記挿入ピンが挟持されて閉回路が形成され、前記差込プラグ及び前記差し込みカバーが反回転されると、前記第一挟持片及び前記第二挟持片が回転することで前記第一当接機構及び前記第二当接機構から離れ、前記第一挟持片及び前記第二挟持片が開放されて前記挿入ピンが分離されることで開回路が形成され、且つ前記挿入ピンが前記第一挟持片及び前記第二挟持片に対応させてルーズ状態が形成されることを特徴とする、コンセント構造。
【請求項２】
前記第一当接機構は第一電気接触当接柱及び第一挟持当接柱を備え、前記第一電気接触当接柱は前記第一挟持片と互いに離され、前記第一導電片は貫通孔、及び前記貫通孔に隣接する導電部を有し、前記第一電気接触当接柱は前記第一導電片の前記貫通孔を貫通させ、且つ前記導電部は前記第一電気接触当接柱の表面に対応させ、前記第一挟持片は前記第一電気接触当接柱と前記第一挟持当接柱との間に位置され、前記第一挟持片は回転することで前記第一電気接触当接柱及び前記第一挟持当接柱に接近し、これにより前記第一挟持片が前記第一導電片の前記導電部を挟持するように接触させることを特徴とする、請求項１に記載のコンセント構造。
【請求項３】
前記第二当接機構は第二電気接触当接柱及び第二挟持当接柱を備え、前記第二電気接触当接柱は前記第二挟持片と互いに離され、前記第二導電片は貫通孔、及び前記貫通孔に隣接する導電部を有し、前記第二電気接触当接柱は前記第二導電片の前記貫通孔を貫通させ、且つ前記導電部は前記第二電気接触当接柱の表面に対応させ、前記第二挟持片は前記第二電気接触当接柱と前記第二挟持当接柱との間に位置され、前記第二挟持片は回転することで前記第二電気接触当接柱及び前記第二挟持当接柱に接近し、これにより前記第二挟持片が前記第二導電片の前記導電部を挟持するように接触させることを特徴とする請求項１に記載のコンセント構造。
【請求項４】
前記差し込みカバーは２本の連接柱を有し、前記第一挟持片は第一収容部、及び前記第一収容部から延伸されて互いに対向し合う２つの第一シート部を有し、前記第二挟持片は第二収容部、及び前記第二収容部から延伸されて互いに対向し合う２つの第二シート部を有し、前記差し込みカバーの２本の前記連接柱は前記第一収容部及び前記第二収容部にそれぞれ嵌入され、且つ２本の前記連接柱は前記第一挟持片及び前記第二挟持片にそれぞれ固定結合されることを特徴とする請求項１に記載のコンセント構造。
【請求項５】
前記差し込みカバーは２つの差し込みシートを有し、前記第一挟持片は第一収容部、及び前記第一収容部から延伸されて互いに対向し合う２つの第一シート部を有し、前記第二挟持片は第二収容部、及び前記第二収容部から延伸されて互いに対向し合う２つの第二シート部を有し、前記差し込みカバーは前記第一挟持片及び前記第二挟持片に結合され、且つ１つの前記差し込みシートが２つの前記第一シート部の間に装入され、もう１つの前記差し込みシートが２つの前記第二シート部の間に装入されることを特徴とする請求項１に記載のコンセント構造。
【請求項６】
前記コンセント本体は孔部を有し、前記孔部の壁面には第一位置決め穴及び第二位置決め穴を有し、前記差し込みカバーの周辺には弾性位置決め組立キットが配置され、前記差し込みカバーは前記孔部に装設され、前記差し込みカバーが回転することで前記弾性位置決め組立キットが連動されて前記第一位置決め穴及び前記第二位置決め穴にそれぞれ結合されることを特徴とする請求項１に記載のコンセント構造。
【請求項７】
前記位置決め組立キットはバネの一端にボールが配置され、前記ボールは前記孔部の壁面に向けられ、前記差し込みカバーが回転することで前記位置決め組立キットの前記ボールが連動されて前記第一位置決め穴及び前記第二位置決め穴にそれぞれ結合されることを特徴とする請求項６に記載のコンセント構造。
【請求項８】
前記第一位置決め穴と前記第二位置決め穴との間の壁面には曲面部を有し、前記曲面部は前記差し込みカバーの周辺に向けて突出し、前記差し込みカバーが回転することで前記位置決め組立キットの前記ボールが連動されて前記曲面部に沿って移動し、前記第一位置決め穴及び前記第二位置決め穴にそれぞれ結合されることを特徴とする請求項７に記載のコンセント構造。
【請求項９】
接地用金属片、及び内部に接地用当接柱を有する前記コンセント本体を更に備え、前記接地用金属片は貫通孔、及び前記貫通孔に隣接する接地導電部を有し、前記接地用当接柱は前記接地用金属片の前記貫通孔を貫通させ、前記接地用金属片は前記コンセント本体内部に固定され、前記接地導電部は前記接地用当接柱の表面に対応させることを特徴とする請求項１に記載のコンセント構造。